(57)【要約】【課題】レンズバリアの開閉を簡単な操作で行なうことができ、レンズバリアやレンズ鏡胴の傷付きや損傷もおそれがなく、しかも構造も簡単な撮像装置を得る。【解決手段】グリップスイッチをオン位置へと移動させ電源オン状態とすると、スライドプレート４０がオン位置へと移動し、これに連動して回動アーム４２が回動してレンズバリア３２が開放位置へ移動する。この状態では、ストッパ部材６６のストッパ片７０が、回動アーム４２の係合片７２に係合し、回動アーム４２の回動が阻止される。撮影用レンズ１６の沈胴によるレンズ鏡胴１６Ｂの回転でボス８２がテーパー面８０に接触し、ストッパ付勢バネ６８を移動させてストッパ片７０が係合片７２から離れると、回動アーム４２がアーム付勢バネ４８の付勢力を受けて回動し、レンズバリア３２が閉塞位置へ移動する。【選択図】        図３
2004252154.tif 000002
【特許請求の範囲】
【請求項１】
撮影用レンズを繰り出し可能とする繰り出し口が形成された筐体と、
前記筐体に固定された固定部材と、
前記繰り出し口を開放する開放位置と閉塞する閉塞位置との間で移動可能に、前記固定部材に取り付けられたレンズバリアと、
電源のオン位置とオフ位置との間で移動可能に前記筐体又は前記固定部材に取り付けられたスライド部材と、
前記スライド部材のオン位置への移動によって前記レンズバリアを開放位置へと移動させる移動部材と、
前記レンズバリアが閉塞位置へと移動するようにレンズバリア又は前記移動部材を付勢するレンズバリア付勢部材と、
前記レンズバリアが開放位置にあるときにレンズバリア又は前記移動部材を移動不能にロックし、撮像用レンズが前記筐体内に沈胴されるとこのロックを解除するロック部材と、
を有することを特徴とする撮像装置。
【請求項２】
前記ロック部材が、前記移動部材をロックするロック位置と、ロック解除するロック解除位置との間を移動可能なストッパ部材と、
前記ストッパ部材を前記ロック位置へと付勢するストッパ付勢部材と、
撮像用レンズの鏡胴外周から突設され、撮影用レンズの沈胴によって前記ストッパ部材をロック解除位置へ押圧するボス、
を含んで構成されていることを特徴とする請求項１に記載の撮像装置。
【請求項３】
前記ストッパ部材を、撮影用レンズ組み付け時の撮影用レンズの移動領域から退避する位置に保持する保持部材、
を有することを特徴とする請求項１又は請求項２に記載の撮像装置。
【発明の詳細な説明】
【０００１】
【発明の属する技術分野】
本発明は、撮像装置に関する。
【０００２】
【従来の技術】
撮影用レンズが筐体の繰り出し口から繰り出す撮像装置では、撮影用レンズが筐体内に沈胴されると、レンズバリアによって繰り出し口を閉塞ように構成されたものがある。
【０００３】
たとえば、特許文献１には、レンズバリヤを閉じ側に付勢する付勢機構と、この付勢機構による付勢力に抗してレンズバリヤを開位置に移動させて保持する操作機構とが設けられたカメラが開示されており、レンズバリヤの開閉操作を簡単に、かつ、安全に行なえるようになっている。
【０００４】
しかしながら、レンズバリヤの閉操作では、レンズバリヤが、一旦鏡胴の周面に当接して閉位置への移動が阻止され、後刻鏡胴がカメラボディ側の移動端まで移動したときに付勢機構による付勢力で閉じられる。このように、レンズバリヤが鏡胴に当接すると、傷付きや破損のおそれがある。
【０００５】
これに対し、特許文献２に開示された沈胴式カメラでは、バリアを全開位置から閉位置に移動させていくと、トリガスイッチが作用してレンズ鏡胴が沈胴を始め、バリアを更に閉方向に移動させるとクリック手段が作用し、撮影者にレンズ鏡胴が完全に沈胴するまで待機することを促すようになっている。そして、沈胴が完全に終了し、バリアが全閉の可能な状態となったとき、クリックを乗り越すようにバリアを移動させ、全閉させる。
【０００６】
したがって、この構成では、バリアとレンズ鏡胴との衝突は回避できるが、バリアを全閉させる中間の位置でバリアの移動が一時的に止められるので、操作性が悪い。
【０００７】
特許文献３には、可動鏡胴の繰り出し、繰り込みを行なうためのモータによって、可動鏡胴が繰り込まれる際にレンズバリアを回転させて閉じるようにしたカメラのレンズ装置が開示されている。
【０００８】
しかし、この構成では、モータの駆動力をモータの駆動力をレンズバリアに伝達するための機構が必要となり、構造が複雑になる。
【０００９】
【特許文献１】
特許第２７１２１６０号公報
【特許文献２】
特許第３０７８４０８号公報
【特許文献３】
特開平７−４９５１５号公報
【００１０】
【発明が解決しようとする課題】
本発明は、上記事実を考慮し、レンズバリアの開閉を簡単な操作で行なうことができ、レンズバリアやレンズ鏡胴の傷付きや損傷もおそれがなく、しかも構造も簡単な撮像装置を得ることを課題とする。
【００１１】
【課題を解決するための手段】
請求項１に記載の発明では、撮影用レンズを繰り出し可能とする繰り出し口が形成された筐体と、前記筐体に固定された固定部材と、前記繰り出し口を開放する開放位置と閉塞する閉塞位置との間で移動可能に、前記固定部材に取り付けられたレンズバリアと、電源のオン位置とオフ位置との間で移動可能に前記筐体又は前記固定部材に取り付けられたスライド部材と、前記スライド部材のオン位置への移動によって前記レンズバリアを開放位置へと移動させる移動部材と、前記レンズバリアが閉塞位置へと移動するようにレンズバリア又は前記移動部材を付勢するレンズバリア付勢部材と、前記レンズバリアが開放位置にあるときにレンズバリア又は前記移動部材を移動不能にロックし、撮像用レンズが前記筐体内に沈胴されるとこのロックを解除するロック部材と、を有することを特徴とする。
【００１２】
この撮像装置では、スライド部材が電源のオン位置に移動すると、移動部材が、レンズバリア付勢部材の付勢力に抗してレンズバリヤを開放位置へ移動させる。筐体の繰り出し口が開放されるので、撮影用レンズを繰り出すことが可能となる。このとき、ロック部材によって移動部材が移動不能にロックされているので、レンズバリヤが閉塞位置に向かって不用意に移動してしまうことはない。
【００１３】
スライド部材を電源のオフ位置に移動させると、ロック部材による移動部材のロックは、この段階では解除されていないので不用意にレンズバリアが閉塞位置に移動してしまうことはない。
【００１４】
ここで、電源オフによって撮影用レンズが筐体内に沈胴されると、ロック部材は、移動部材のロックを解除する。これにより、レンズバリアが、レンズバリヤ付勢部材の付勢力を受けて、閉塞位置へと移動する。
【００１５】
このように、本発明では、レンズバリアを開閉させるために必要な操作は、実質的にスライド部材のスライドのみであるので簡単であり、操作性が高い。しかも、モータ等の駆動源を使用していないので、構造が簡単になる。
【００１６】
しかも、レンズバリアは、撮影用レンズが筐体内に沈胴された後に閉塞位置へと移動するので、これらの傷付きや損傷のおそれがない。
【００１７】
請求項２に記載の発明では、請求項１に記載の発明において、前記ロック部材が、前記移動部材をロックするロック位置と、ロック解除するロック解除位置との間を移動可能なストッパ部材と、前記ストッパ部材を前記ロック位置へと付勢するストッパ付勢部材と、撮像用レンズの鏡胴外周から突設され、撮影用レンズの沈胴によって前記ストッパ部材をロック解除位置へ押圧するボス、を含んで構成されていることを特徴とする。
【００１８】
ストッパ部材はストッパ付勢部材によってロック位置へと付勢されているので、レンズバリアが開放位置に至ると、この付勢力を受けてロック位置へと移動する。
【００１９】
撮影用レンズが沈胴されると、撮影用レンズの鏡胴外周から突設されたボスが、ストッパ部材をロック解除位置へ押圧する。これにより、ストッパ付勢部材の付勢力に抗して、ストッパ部材がロック解除位置へ移動し、ロックが解除される。
【００２０】
このように、簡単な構成で、ロック部材及び解除部材を構成できる。
【００２１】
請求項３に記載の発明では、請求項１又は請求項２に記載の発明において、前記ストッパ部材を、撮影用レンズ組み付け時の撮影用レンズの移動領域から退避する位置に保持する保持部材、を有することを特徴とする。
【００２２】
撮影用レンズの組み付け時には、ストッパ部材を、保持部材によって撮影用レンズの移動領域から退避させることで、組み付けを容易に行なうことが可能になる。
【００２３】
【発明の実施の形態】
図１には、本発明の一実施形態の携帯型機器であるデジタルスチルカメラ１２が示されている。
【００２４】
デジタルスチルカメラ１２は、筐体１４を有している。筐体１４は略箱状に形成されており、前面１４Ｆ側に、グリップスイッチ２４、撮影用レンズ１６、繰り出し口２６、撮影用発光部材１８（いわゆるストロボ）、及びファインダー受光部２０等の部材が設けられている。また、上面１４Ｔにはレリーズボタン２２が、背面１４Ｂには液晶ディスプレイ、操作ボタン、ファインダー等（いずれも図示省略）が設けられている。グリップスイッチ２４は、オン位置（図１に実線で示す位置）とオフ位置（図１に二点鎖線で示す位置）との間をスライドするようになっており、オン位置では、デジタルスチルカメラ１２の電源がオン状態となる。デジタルスチルカメラ１２の操作者は、グリップスイッチ２４をオン位置へと移動させてデジタルスチルカメラ１２をオン状態とし、液晶ディスプレイの画像を見ながら（又は背面のファインダー内の画像を見ながら）、レリーズボタン２２を押して、画像を撮影することができる。なお、グリップスイッチ２４は、オン位置ではデジタルスチルカメラ１２のグリップとしても機能するように、その位置及び形状が決められている。
【００２５】
図２〜図４に詳細に示すように、筐体１４内には、固定プレート２８が固定されている。固定プレート２８には、筐体１４の繰り出し口２６に対応した位置に開口３０が形成されており、繰り出し口２６及び開口３０を通して撮影用レンズ１６が繰り出される。繰り出し口２６及び開口３０は、レンズバリア３２によって開閉されるようになっている。
【００２６】
固定プレート２８には、幅方向に沿って長孔３４が形成されており、レンズバリア３２から延出された案内アーム３６の２つのピン３８が長孔３４に収容されている。これにより、レンズバリア３２は長孔３４に沿ってスライド可能に固定プレート２８に取り付けられ、繰り出し口２６及び開口３０を完全に開放する開放位置（図２参照）と、完全に開放する開放位置（図３参照）との間を移動する。
【００２７】
さらに固定プレート２８には、レンズバリア３２のスライド方向と同方向にスライド可能に、スライドプレート４０が取り付けられている。スライドプレート４０にはグリップスイッチ２４（図１参照）が固定されており、筐体１４の外側からグリップスイッチ２４をスライドさせると、スライドプレート４０も一体的に、オフ位置（図２（Ｂ）に示す位置）とオン位置（図３（Ｂ）に示す位置）との間をスライドする。
【００２８】
固定プレート２８の下部には、回動アーム４２が固定軸４４周りに回動可能に取り付けられている。回動アーム４２の自由端近傍に形成された長孔４６には、案内アーム３６のピン３８の１つが収容されており、回動アーム４２の回動に応じて、レンズバリア３２がスライドする。
【００２９】
スライドプレート４０にはアーム付勢バネ４８が取り付けられており、回動アーム４２の固定端近傍に設けられたピン５０を矢印Ｒ方向、すなわち、レンズバリア３２が閉塞位置へと移動する方向へ付勢している。
【００３０】
スライドプレート４０の下部には、略長方形状の開口６２が形成されており、この開口６２に、回動アーム４２のピン５０が挿入されている。開口６２は、スライドプレート４０の移動ストロークよりも長くされており、スライドプレート４０がオフ位置からオン位置へと移動すると、開口６２の口縁がピン５０を押圧する位置に形成されている。これにより、図３（Ｂ）に示すように、回動アーム４２が回動し、レンズバリア３２が閉塞位置から開放位置へと移動する。これに対し、スライドプレート４０がオン位置からオフ位置へと移動しても、開口６２の口縁はピン５０を押圧せず、回動アーム４２も回動されない。
【００３１】
固定プレート２８からは支軸６４が立設されており、この支軸６４には、ストッパ部材６６が、固定プレート２８に接近した位置（図２（Ａ）参照）と、固定プレート２８から離間した位置（図３（Ａ）参照）との間でスライド可能に取り付けられている。支軸６４に巻き掛けられたストッパ付勢バネ６８によって、ストッパ部材６６は固定プレート２８に向かう方向（矢印Ｌ方向）へと付勢されている。
【００３２】
ストッパ部材６６にはストッパ片７０が設けられている。このストッパ片７０は、ストッパ部材６６が固定プレート２８に接近した位置（ロック位置）にあり、且つレンズバリア３２が開放位置にあるときに、回動アーム４２に形成された係合片７２と係合して、回動アーム４２の矢印Ｒ方向の回動を阻止するようになっている。これに対し、ストッパ部材６６が固定プレート２８から離間する方向に移動すると、ストッパ片７０が係合片７２と係合しない位置（アンロック位置）となる。このアンロック位置では、回動アーム４２の回動が阻止されない。なお、図６（Ａ）に示すように、ストッパ部材６６は、アンロック位置から、さらに矢印Ｌと反対の方向へと移動し、後述する組み付け位置に至ることが可能とされている。
【００３３】
ストッパ部材６６には、支軸６４から上方に向かって案内アーム７４が形成されており、その先端近傍に形成された案内孔７６に、固定プレート２８から突設された案内ピン７８が挿入されている。案内ピン７８は、ストッパ部材６６がロック位置とアンロック位置との間を移動しているときは案内孔７６に収容されているが、さらに組み付け位置に移動すると案内孔７６から抜ける長さとされている。したがってストッパ部材は、ロック位置とアンロック位置との間では、不用意に回動することなく案内されてスライドするが、アンロック位置と組み付け位置との間では、支軸６４周りに回動可能となる。
【００３４】
ストッパ部材６６の、撮影用レンズ１６と対向する位置には、図５（Ａ）及び（Ｂ）にも示すように、固定プレート２８に向かって傾斜するテーパー面８０が形成されている。一方、撮影用レンズ１６のレンズ鏡胴１６Ｂ（図１参照）からは、繰り出し時にレンズ鏡胴１６Ｂと一体で周方向に回転するボス８２が突設されている。ボス８２とテーパー面８０とは、通常の撮影時には接触することはないが、グリップスイッチ２４をオフ位置へと移動させて電源オフとされたときには、撮影用レンズ１６の沈胴動作によってボス８２がテーパー面８０を押圧し、ストッパ付勢バネ６８の付勢力に抗して、ストッパ部材６６をアンロック位置へと移動させるように、それぞれの位置及び形状が決められている。
【００３５】
図６（Ａ）に示すように、固定プレート２８からは、保持片８４が立設されている。保持片８４は、ストッパ部材６６が組み付け位置にあるときに、テーパー面８０がレンズ鏡胴１６Ｂから離間する方向へとストッパ部材６６が回動されると、ストッパ片７０の一部が保持片８４に乗り上げる位置とされている。これにより、図６（Ｂ）から分かるように、ストッパ部材６６は、テーパー面８０がレンズ鏡胴１６Ｂから離間した位置に保持される。すなわち、ストッパ部材６６は、撮影用レンズ１６の組み付け時には、その移動領域から退避した位置に保持される。
【００３６】
次に、本実施形態に係るデジタルスチルカメラ１２において、撮影用レンズ１６を組み付ける方法、及びデジタルスチルカメラ１２の作用を説明する。
【００３７】
このデジタルスチルカメラ１２では、筐体１４に固定プレート２８を固定した状態で、撮影用レンズ１６を組み付ける。ここで、まず、図６（Ａ）及び（Ｂ）に示すように、ストッパ部材６６を組み付け位置とし、さらに、ストッパ片７０を保持片８４に乗り上げさせた状態で保持させておく。ストッパ部材６６のテーパー面８０が離間しているので、テーパー面８０とボス８２とが不用意に干渉せず、組み付けを容易に行なうことができる。
【００３８】
撮影用レンズ１６の組み付け後、ストッパ部材６６を図７（Ａ）及び（Ｂ）に示すように回動させ、保持片８４による保持を解除する。ストッパ部材６６は、ストッパ付勢バネ６８の付勢力を受けて、固定プレート２８に接近する方向に移動する。
【００３９】
デジタルスチルカメラ１２を使用する場合には、操作者は、グリップスイッチ２４を、オフ位置（図１に二点鎖線で示す位置）から、オン位置（図１に実線で示す位置）へと移動させ、電源オン状態とする。これにより、スライドプレート４０もオフ位置からオン位置へと移動し、開口６２の口縁がピン５０を押圧する。回動アーム４２が図２矢印Ｒと反対の方向に回動するので、図３に示すように、レンズバリア３２が開放位置へ移動し、繰り出し口２６及び開口３０が開放される。このように、操作者は、グリップスイッチ２４をオフ位置からオン位置へと移動させる動作のみで、レンズバリア３２を移動させて繰り出し口２６及び開口３０を開放することができる。
【００４０】
この状態で、撮影用レンズ１６が繰り出し可能となるので、たとえばあらかじめ決められたシーケンスによって、あるいは操作者が所定のボタンを押す等によって、撮影用レンズ１６を所望量繰り出すことができる。
【００４１】
また、この状態では、図５（Ａ）にも示すように、ストッパ付勢バネ６８の付勢力を受けてロック位置に維持されたストッパ部材６６のストッパ片７０が、回動アーム４２の係合片７２に係合しており、回動アーム４２の矢印Ｒ方向の回動が阻止されている。したがって、回動アーム４２がアーム付勢バネ４８の付勢力を受けて不用意に回動することはない。レンズバリア３２も不用意に閉塞位置へと移動することはなく、開放位置に維持される。
【００４２】
撮影終了などにより、グリップスイッチ２４をオン位置からオフ位置へと移動させると、スライドプレート４０は図４に示すようにオフ位置へと移動するが、開口６２の口縁はピン５０を押圧せず、回動アーム４２も回動されないので、この段階では、レンズバリア３２が閉塞位置へと移動されることはない。
【００４３】
ここで、デジタルスチルカメラ１２は、撮影用レンズ１６を沈胴させる。図５（Ｂ）に示すように、レンズ鏡胴１６Ｂの回転によってボス８２がテーパー面８０に接触し、ストッパ付勢バネ６８の付勢力に抗してストッパ部材６６をアンロック位置へと移動させるので、ストッパ片７０が係合片７２から離れる。これにより、回動アーム４２がアーム付勢バネ４８の付勢力を受けて矢印Ｒ方向に回動し、レンズバリア３２も開放位置から閉塞位置へと移動する。
【００４４】
したがって、グリップスイッチ２４をオン位置からオフ位置へと移動させる動作のみで、レンズバリア３２を開放位置から閉塞位置へと移動させることができる。
【００４５】
このように、本実施形態のデジタルスチルカメラ１２では、レンズバリア３２の開閉動作を、グリップスイッチ２４を移動させる１つの動作のみで完了させることができ、操作性が向上している。しかも、レンズバリア３２を移動させるために、モータ等の駆動源を必要としないので、構造が複雑になることもない。
【００４６】
また、撮影用レンズ１６が沈胴されるまでは、レンズバリア３２は閉塞位置へ向かって移動しないので、レンズバリア３２が撮影用レンズ１６のレンズ鏡胴１６Ｂに当たることもなく、これらが傷付いたり損傷を受けたりすることもない。
【００４７】
以上、本発明の実施形態について説明したが、本発明の具体的構成は、上記したものに限定されない。
【００４８】
たとえば、グリップスイッチ２４に代えて、一般的なスライドスイッチを採用してもよい。スライドスイッチを、筐体１４の上面１４Ｔや底面に設けることも可能である。
【００４９】
上記説明では、本発明の撮像装置として、デジタルスチルカメラ１２を例に挙げて説明したが、撮像装置はこれに限定されず、たとえば、銀塩カメラや、動画を撮影可能な動画撮影装置（ビデオカメラ）等を挙げることができる。
【００５０】
【発明の効果】
本発明は上記構成としたので、レンズバリアの開閉を簡単な操作で行なうことができ、レンズバリアやレンズ鏡胴の傷付きや損傷もおそれがなく、しかも構造も簡単になる。
【図面の簡単な説明】
【図１】本発明の一実施形態のデジタルスチルカメラを示す斜視図である。
【図２】本発明の一実施形態のデジタルスチルカメラの内部構造を示し、（Ａ）は平面図、（Ｂ）は正面図である。
【図３】本発明の一実施形態のデジタルスチルカメラの内部構造を示し、（Ａ）は平面図、（Ｂ）は正面図である。
【図４】本発明の一実施形態のデジタルスチルカメラの内部構造を示し、（Ａ）は平面図、（Ｂ）は正面図である。
【図５】本発明の一実施形態のデジタルスチルカメラのストッパ部材及びその近傍そ示す側面図であり、（Ａ）はロック状態、（Ｂ）はアンロック状態である。
【図６】本発明の一実施形態のデジタルスチルカメラの内部構造を示し、（Ａ）は底面図、（Ｂ）は背面図である。
【図７】本発明の一実施形態のデジタルスチルカメラの内部構造を示し、（Ａ）は底面図、（Ｂ）は背面図である。
【符号の説明】
１２    デジタルスチルカメラ（撮像装置）
１４    筐体（機器本体）
１６    撮影用レンズ
１６Ｂ  レンズ鏡胴
２４    グリップスイッチ
２６    繰り出し口
２８    固定プレート（固定部材）
３２    レンズバリア
４０    スライドプレート（スライド部材）
４２    回動アーム（移動部材）
４８    アーム付勢バネ（レンズバリア付勢部材）
６６    ストッパ部材（ロック部材）
６８    ストッパ付勢バネ（ストッパ付勢部材）
８２    ボス
８４    保持片（保持部材）
【図１】
2004252154.tif 000003
【図２】
2004252154.tif 000004
【図３】
2004252154.tif 000005
【図４】
2004252154.tif 000006
【図５】
2004252154.tif 000007
【図６】
2004252154.tif 000008
【図７】
2004252154.tif 000009